(57)【要約】【課題】ユニット毎に操作画面部を設けるのではなく、１つの操作画面部にて複数のユニットを迅速且つ正確に操作することにより、操作性の向上に寄与する保護制御装置を提供する。【解決手段】操作画面方式のＨＩとして、操作画面部１１９を有する操作画面機構部１０２が設けられている。操作画面機構部１０２は、ユニットＡ用操作データ作成部１０５、ユニットＢ用操作データ作成部１０６、操作ユニット判定・記憶部１０７を有しており、１つの操作画面部１１９にて２つのユニットＡ１２０、Ｂ１２１の情報表示および操作を行うようになっている。【選択図】図１
2011172362.tif 000002
【特許請求の範囲】
【請求項１】
複数のユニットと、操作者の行う操作事象を受け付けて各ユニットの情報表示および操作を行う操作画面部を備えた保護制御装置において、
前記ユニットと前記操作画面部の間でデータのやり取りを行うデータ伝送手段と、
前記操作事象に従って前記操作事象の対象となる前記ユニットを判定するユニット判定手段と、
前記ユニット判定手段の判定結果と前記操作事象に基づいて操作データを作成する操作データ作成手段、を備えたことを特徴とする保護制御装置。
【請求項２】
複数のユニットと、操作者の行う操作事象を受け付けて各ユニットの情報表示および操作を行う操作画面部を備えた保護制御装置において、
前記ユニットと前記操作画面部の間でデータのやり取りを行うデータ伝送手段と、
前記操作事象に従って前記操作事象の対象となる前記ユニットを判定するユニット判定手段と、
前記データ伝送手段により前記ユニットから受信したデータを合成するデータ合成手段、を備えたことを特徴とする保護制御装置。
【請求項３】
前記データ合成手段は、大小または前後関係の比較が可能である比較可能要素と、それに付随する表示内容について、前記比較可能要素をキーとしてデータ合成処理を行うように構成したことを特徴とする請求項２に記載の保護制御装置。
【請求項４】
複数の前記ユニット相互間にデータを送受信するデータ伝送手段を設け、
前記データ合成手段を、前記ユニットのうちの１つのユニットに設置したことを特徴とする請求項２または３に記載の保護制御装置。
【発明の詳細な説明】
【技術分野】
【０００１】
本発明は、操作画面にて操作されるユニットを複数備えた保護制御装置に係り、特に、各ユニットの情報表示および操作を行う操作画面部に改良を加えた保護制御装置を関するものである。
【背景技術】
【０００２】
現在、電力系統の保護制御装置としては、ディジタル形の保護制御装置が主流となっている。ディジタル形の保護制御装置では、電力系統の電気量や状態量を入力してディジタル量に変換し、ディジタル量を用いて所定の保護制御演算を行う。保護制御装置は、求めた演算結果に応じて遮断器等を制御することにより系統保護を実現している。
【０００３】
保護制御装置は信頼性を確保する観点からフェイルセイフシステムとして構成されている。例えば、図１０に示した保護制御装置には、一括ユニットと分割ユニットなど、１つの保護制御対象に対し２つのユニットＡ１２０、ユニットＢ１２１が実装されている。
【０００４】
これらのユニットＡ１２０、Ｂ１２１は別々のハードウェアで構成されている。そのため、仮にどちらかのユニットに部品不良などの不具合が起きたとしても、他方のユニットが適切に動作可能である。したがって、保護制御装置は誤動作に至ることがなく、優れた信頼性を発揮することができる(非特許文献１参照)。
【０００５】
一般に、保護制御装置の主な表示および操作形態としては、ヒューマンインタフェース（以下、ＨＩとする）が知られている。ＨＩは、保護制御装置の保守・運用者にとって、見やすく操作し易い情報環境を提供することを責務としている。
【０００６】
ＨＩの構成としては、主に操作画面方式が採用されている。この方式では、表示画面として機能するフラットディスプレイとタッチパネルを搭載した画面表示器、もしくは表示画面をパソコン画面で代用しマウスやキーボードなどの入力手段が用いられている(非特許文献２参照)。
【０００７】
上記図１０にて示した保護制御装置では、ユニットＡ１２０に操作画面部Ａ１が、ユニットＢ１２１に操作画面部Ｂ１がそれぞれ付設されている。ユニットＡ１２０、Ｂ１２１と操作画面部Ａ１、Ｂ１とはデータ伝送手段により接続されている。ユニットＡ１２０、Ｂ１２１から操作画面部Ａ１、Ｂ１には、各ユニットＡ、Ｂの設定情報や動作情報を内容とする表示データが送られる。また、操作画面部Ａ１、Ｂ１からユニットＡ１２０、Ｂ１２１には、各種の設定値などを内容とする操作データが送られる。
【０００８】
このような保護制御装置において、操作画面部Ａ１、Ｂ１が、保護制御装置の保守・運用者の行う操作事象を受け付けると、その操作事象に従って各ユニットＡ１２０、Ｂ１２１から設定情報や動作情報などの表示データを取得して、表示データの表示を行う。
【０００９】
さらに、操作画面部Ａ１、Ｂ１による表示を確認した保守・運用者が、何らかの操作事象を実行すると、操作画面部Ａ１、Ｂ１は操作事象に従った操作データを各ユニットＡ１２０、Ｂ１２１に送信する。これにより、ユニットＡ１２０、Ｂ１２１は操作データに基づいて動作することができる。
【００１０】
また、ＨＩは、操作画面部の設置される場所から、ローカルＨＩとリモートＨＩとに分類することができる。このうち、ローカルＨＩは操作画面部が変電所内の保護制御装置に直接接続されており、現場での詳細な保守・運用作業に使用されている。
【００１１】
これに対して、リモートＨＩは、操作画面部が遠隔運用拠点に設置されている。遠隔運用拠点とは保護制御装置を遠隔地から運用監視する制御所などである。遠隔運用拠点を含む保護制御装置の遠隔運用監視システムは、系統規模が拡大傾向にある近年、広く普及しており、このシステムの中でリモートＨＩは重要な役割を果たしている。
【００１２】
ここで図１１を用いて、保護制御装置に対する遠隔運用監視システムの従来例について説明する。図１１に示すように、変電所内のそれぞれの保護制御装置は、ＬＡＮ(Local Area Network)、光トランシーバ、制御室内の光ＨＵＢおよび伝送装置を介して、ＷＡＮ(Wide Area Network)に接続されている。また、遠隔運用拠点に設置されたリモートＨＩは、ＬＡＮを介して伝送装置に接続されている。さらに、遠隔運用拠点側の伝送装置は前記ＷＡＮに接続されている。
【００１３】
このような遠隔運用監視システムでは、ＷＡＮを介して遠隔運用拠点に変電所内の保護制御装置を接続することが可能である。このため、リモートＨＩの操作画面部に保護制御装置の状態を表示すると同時に、保護制御装置に対しリモートＨＩの操作画面部から操作データを送ることができる(非特許文献３参照)。
【先行技術文献】
【非特許文献】
【００１４】
【非特許文献１】電気学会著 保護リレーシステム工学 P-16〜18 保護リレーシステムの構成
【非特許文献２】(社団法人)電気協同研究会著 電気協同研究 第59巻 第1号 保護リレーシステムの開発・保守運用効率化 P-197
【非特許文献３】電気学会著 保護リレーシステム工学 P-119〜121 ディジタルリレーの運用・保守機能
【発明の概要】
【発明が解決しようとする課題】
【００１５】
ところで、図１０でも示したように、画面操作方式を採用した保護制御装置が複数のユニットを有する場合、操作画面部はユニット単位で独立して実装している。つまり、保護制御装置は、ユニット数に対応して複数の操作画面部を持つことになる。
【００１６】
ただし、保護制御装置の保守・運用者は、設定情報や動作情報などの管理を、ユニット単位ではなく、保護制御装置単位で行うのが一般的である。したがって、１つの保護制御装置に複数の操作画面部が存在することで、次のような問題が存在した。
【００１７】
すなわち、保護制御装置の保守・運用者は、操作画面部に対して操作事象を行う際、保守・運用者自身が扱おうとする情報について、どのユニットに該当するものなのかをいちいち確認する必要がある。この時の確認作業としては、操作画面に表示された情報がどのユニットの情報なのかを確認することや、設定値の入力操作を行う場合に設定対象であるユニットを確認することなどがある。
【００１８】
保護制御装置の保守・運用者は、以上のような確認作業を行った後、各ユニットに対応した操作画面部を選択し、その上で画面接続作業を行っていた。すなわち、保守・運用者は、保護制御装置を操作しようとするたびに、操作対象となる操作画面部の確認作業と、操作画面部を接続する作業を行わなくてはならず、作業に要する時間が長くかかっていた。保護制御装置の操作には基本的に迅速性・緊急性が求められるので、作業時間を短縮化して操作性を高めることが要請されていた。
【００１９】
さらに、世界的なイントラネットの整備・拡充や、情報伝送技術の高度化が進む現在、保護制御装置の機能向上も相俟って、遠隔運用拠点では多種多量の情報を扱うことが可能となっている。そのため、遠隔運用拠点に設置されるリモートＨＩの操作画面部に関しては、特に操作性の向上が望まれている。
【００２０】
本発明は、上述した課題を解決するためになされたものであり、複数のユニットを備えた保護制御装置において、ユニット毎に操作画面部を設けるのではなく、１つの操作画面部にて各ユニットを迅速且つ正確に操作することにより、操作性の向上に寄与する保護制御装置を提供することを目的としている。
【課題を解決するための手段】
【００２１】
上記目的を達成するために、本発明は、複数のユニットと、操作者の行う操作事象を受け付けて各ユニットの情報表示および操作を行う操作画面部を備えた保護制御装置において、前記ユニットと前記操作画面部の間でデータのやり取りを行うデータ伝送手段と、前記操作事象に従って前記操作事象の対象となる前記ユニットを判定するユニット判定手段と、前記ユニット判定手段の判定結果と前記操作事象に基づいて操作データを作成する操作データ作成手段、を備えたことを特徴とするものである。
【発明の効果】
【００２２】
本発明の保護制御装置では、操作者の行う操作事象に従ってユニット判定手段が操作対象となるユニットを自動的に判定し、操作データ作成手段がユニット判定手段の判定結果と操作事象に基づいて操作データを作成することにより、複数のユニットに関して共通の操作画面部を用いることが可能となり、操作者は扱う情報がどのユニットに該当する情報なのかを確認する必要が無く、画面接続操作も省略することができるので、操作性が大幅に向上する。
【図面の簡単な説明】
【００２３】
【図１】本発明に係る第１の実施形態のブロック図。
【図２】第１の実施形態の操作例を示す説明図。
【図３】本発明に係る第２の実施形態のブロック図。
【図４】第２の実施形態の操作例を示す説明図。
【図５】本発明に係る第１および第２の実施形態を組み合わせた実施形態の操作例を示す説明図。
【図６】本発明に係る第３の実施形態におけるデータ内容の説明図。
【図７】第３の実施形態の操作例を示す説明図。
【図８】本発明に係る第４の実施形態のブロック図。
【図９】第４の実施形態の操作例を示す説明図。
【図１０】従来の保護制御装置のブロック図。
【図１１】従来の保護制御装置に対する遠隔運用監視システムのブロック図。
【発明を実施するための形態】
【００２４】
（１）第１の実施形態
［構成］
以下、本発明に係る保護制御装置の実施形態の一例について、図面を参照して具体的に説明する。図１は本発明に係る第１の実施形態の全体構成を示すブロック図である。
【００２５】
図１に示すように、第１の実施形態は、フェイルセイフシステムを実現すべく、１つの保護制御装置には２つのユニットＡ１２０、ユニットＢ１２１が実装されており、操作画面方式のＨＩとして、操作画面部１１９を有する操作画面機構部１０２が設けられている。なお、図１において、符号１０３は、保護制御装置の操作者、１１２は操作画面部１１９に表示される操作事象を示している。
【００２６】
第１の実施形態では、操作画面機構部１０２により、単一の操作画面部１１９で２つのユニットＡ１２０、Ｂ１２１の情報表示および操作を行うようになっている。ＨＩである操作画面機構部１０２には、機能的なブロックとして、ユニットＡ用操作データ作成部１０５、ユニットＢ用操作データ作成部１０６、操作ユニット判定・記憶部１０７が設置されており、それぞれ操作画面部１１９に接続されている。
【００２７】
このうち、操作ユニット判定・記憶部１０７は、第１の実施形態の特徴的な部分であって、操作者１０３の選択した操作事象１１２に従い、操作事象１１２の対象となるユニットがユニットＡ１２０なのか、あるいはユニットＢ１２１なのかを判別し、判別結果を対象ユニット選択データ１１３として、所定の記憶領域に記憶するように構成されている。
【００２８】
操作事象１１２に基づいた対象ユニット選択データ１１３のパターンとしては、次の４通りがある。すなわち、操作対象となるユニットが無い「ユニットＡなし・ユニットＢなし」、操作対象となるユニットがユニットＡ１２０のみである「ユニットＡあり・ユニットＢなし」、操作対象となるユニットがユニットＢ１２１のみである「ユニットＡなし・ユニットＢあり」、操作対象となるユニットがユニットＡ１２０とユニットＢ１２１の両方である「ユニットＡあり・ユニットＢあり」という４通りのパターンである。
【００２９】
操作データ作成部１０５、１０６は、操作事象１１２に基づいて、ユニットＡ１２０用、Ｂ１２１用の操作データ１１４、１１５を作成する部分である。操作データ作成部１０５、１０６は、作成した操作データ１１４、１１５を、データ伝送手段を介してそれぞれユニットＡ１２０、Ｂ１２１に送るようになっている。
【００３０】
より詳しくは、ユニットＡ用操作データ作成部１０５において、対象ユニット選択データ１１３が「ユニットＡなし」を含む場合には作動することがない。また、対象ユニット選択データ１１３が「ユニットＡあり」を含めば、ユニットＡ用操作データ作成部１０５は操作事象１１２に基づいて操作データ１１４を作成してユニットＡ１２０に送信する。
【００３１】
一方、ユニットＢ用操作データ作成部１０６は、対象ユニット選択データ１１３が「ユニットＢなし」を含む場合には作動せず、対象ユニット選択データ１１３が「ユニットＢあり」を含めば、操作事象１１２から操作データ１１５を作成して、ユニットＢ１２１に送信する。
【００３２】
［第１の実施形態の操作例］
以上のような第１の実施形態の具体的な操作例について、図２を用いて説明する。操作画面部１１９が図２に示した表示画面を表示している状態で、操作者１０３が、操作画面１１９に表示された「整定リレー(一括)」(ユニットＡ１２０への設定値操作)という操作事象１１２を選択したとする（図２中の（１））。
【００３３】
操作ユニット判定部１０７は、操作事象１１２に従って、操作対象となるユニットは「一括(ユニット)」(ユニットＡ)であると判別し、この判別結果を反映した対象ユニット選択データ１１３を、所定の記憶領域に記憶する（図２中の（２））。
【００３４】
続いて、操作者１０３は、操作画面１１９に表示された「整定開始」を選択し、さらには整定対象となる要素を選択する（図２中の（３））。操作者１０３は、選択した要素の新整定値の欄にテンキーなどを使って所望の新整定値を入力する（図２中の（４））。新整定値の入力後、操作者１０３は操作画面１１９に表示された「書き込み」を選択する（図２中の（５））。
【００３５】
操作者１０３がこれら一連の操作を正しく行うことで、ユニットＡ操作データ作成部１０５は、操作者１０３の入力した新整定値（図２中の（６））と、操作ユニット判定部１０７の記憶内容つまり操作対象はユニットＡ１２０であるという操作ユニット情報（図２中の（７））を取り込むことになる。
【００３６】
ユニットＡ操作データ作成部１０５は、取り込んだこれらの情報に基づいてユニットＡ１２０用の操作データ１１４を作成し、作成した操作データ１１４をユニットＡ１２０に送信する（図２中の（８））。なお、操作事象１１２がユニットＢ１２１に対する操作であった場合、ユニットＢ１２１専用の操作画面部ではなく、操作画面機構部１０２の操作画面部１１９を用いて同様の操作を行うことにより、ユニットＢ１２１へ操作データ１１５を送信することができる。
【００３７】
［作用効果］ 
第１の実施形態の作用効果は次の通りである。保護制御装置が２つのユニットＡ１２０、Ｂ１２１を有していても、操作者１０３は１つの操作画面部１１９により操作事象１１２を行うだけで、ユニットＡ１２０、Ｂ１２１に対する操作データ１１４、１１５を個別に送信することができる。
【００３８】
したがって、操作者１０３は、操作事象１１２の内容を考えながらユニットＡ１２０、Ｂ１２１に対応する操作画面部１１９を選択したり、操作したりする必要がない。すなわち、設定や表示情報の確認作業が不要となり、画面接続作業も省くことができる。
【００３９】
これにより、１つの操作画面部１１９にて、２つのユニットＡ１２０、Ｂ１２１を、迅速且つ正確に操作することができ、操作者１０３の操作負担を軽減化することができる。したがって、ユニットＡ１２０、Ｂ１２１に対する作業時間の短縮化を実現することができ、操作画面部１１９の操作性が向上する。
【００４０】
（２）第２の実施形態
［構成］
次に、本発明に係る第２の実施形態について図３を用いて説明する。図３は、第２の実施形態を示す全体構成図である。なお、第２の実施形態において、前記第１の実施形態と同一の構成については同一の符号を付し、重複する説明は省略する。
【００４１】
図３に示すように、ユニットＡ１２０、Ｂ１２１側には表示データ作成部１０４、１０８が設置されている。表示データ作成部１０４、１０８はそれぞれ、ユニットＡ１２０、Ｂ１２１における表示データ１１６、１１７を作成し、これらのデータ１１６、１１７を、操作画面機構部１０２側に設けた表示データ合成部１１０に送信する部分である。
【００４２】
第２の実施形態の特徴は、操作画面機構部１０２側に表示データ合成部１１０を設けた点にある。表示データ合成部１１０は、操作ユニット判定部１０７の判定した対象ユニット選択データ１１３を受け取り、この対象ユニット選択データ１１３の状態に基づいて、ユニットＡ１２０、Ｂ１２１側からの表示データ１１６、１１７に対し、次のような処理を行うようになっている。
【００４３】
すなわち、表示データ合成部１１０は、「ユニットＢなし」を含む対象ユニット選択データ１１３を受け取った場合、表示データ１１６、１１７を合成することなく、ユニットＡ１２０からの表示データ１１６だけを操作画面部１１９に送る処理を行う。
【００４４】
また、表示データ合成部１１０は、「ユニットＡなし」という対象ユニット選択データ１１３を受け取ると、表示データ１１６、１１７を合成することなく、ユニットＢ１２１からの表示データ１１７だけを操作画面部１１９に送るようになっている。
【００４５】
さらに、表示データ合成部１１０は、取得する対象ユニット選択データ１１３が「ユニットＡあり・ユニットＢあり」となっている場合には、ユニットＡからの表示データ１１６と、ユニットＢからの表示データ１１７とを合成するデータ合成処理を実施し、合成したデータを操作画面部１１９に送るようになっている。
【００４６】
そして、操作画面部１１９は、表示データ合成部１１０から受信した表示データ１１６または１１７あるいは両者の合成データに従って、操作者１０３に対し表示データ１１８を表示する。
【００４７】
［第２の実施形態の操作例］
第２の実施形態における具体的な操作例について、図４を用いて説明する。図４に示した操作画面部１１９の表示状態で、前記図２に示した（１）、（２）の操作と同様、操作者１０３による操作事象１１２の選択および操作ユニット判定部１０７による対象ユニット選択データ１１３の記憶を行う（図４中の（１）、（２））。
【００４８】
ここで、ユニットＡ１２０側では、ユニット内でその時点で使用されている設定値である「運用値」を、表示データ１１６として、表示データ作成部１０４が作成し、操作画面機構部１０２側の表示データ合成部１１０に送信する。の表示データ合成部１１０は、ユニットＡ１２０の「運用値」を受信する（図４中の（３））と共に、操作ユニット判定部１０７の記憶内容つまり操作対象はユニットＡ１２０であるという操作ユニット情報を取り込む（図４中の（４））。
【００４９】
このため、表示データ合成部１１０は操作画面部１１９の所定の欄に、ユニットＡ１２０の「運用値」の表示データ１１８を表示する（図４中の（５））。このようにして操作者１０３は操作画面部１１９上の表示データ１１８を確認することができる。なお、ユニットＢ１２１の場合にも上記と同様の操作で表示データ１１７の受信および表示データ１１８の表示が行われる。
【００５０】
［作用効果］ 
以上のような第２の実施形態によれば、ユニットＡ１２０、Ｂ１２１からの表示データ１１６、１１７について、１つの操作画面部１１９を用いて表示可能である。したがって、操作者１０３は、ユニットＡ１２０、Ｂ１２１ごとに個別に操作する必要が無く、面倒な画面接続操作の切換は不要である。これにより、単一の操作画面部１１９だけで、迅速且つ正確にユニットＡ１２０、Ｂ１２１の状態を確認することが可能であり、優れた操作性を発揮することができる。
【００５１】
［第１および第２の実施形態を組み合わせた実施形態の操作例］
第２の実施形態の応用例として、第２の実施形態の構成に、上記第１の実施形態の構成も加えた場合の実施形態の操作例について、図５を用いて具体的に説明する。
【００５２】
この実施形態では、操作画面部１１９において、状態表示フレーム１１９ｃが表示されるとき、画面選択フレーム１１９ａと作業フレーム１１９ｂとに左右に分割表示されている。そして、画面選択フレーム１１９ａでは、表示されている項目を操作者１０３が選択することによって、項目に対応した画面を作業フレーム１１９ｂ側に表示する機能が備わっている。
【００５３】
今、画面選択フレーム１１９ａに、「現在時刻設定(ユニットＡ)」、「現在時刻設定(ユニットＢ)」、「現在時刻設定(全ユニット)」という項目が、操作事象１１２として、提示されているものとする（図５の（１）現在時刻設定操作）。ここで、操作者１０３がユニットＡ１２０の現在時刻の設定を目的として、画面選択フレーム１１９ａにおいて「現在時刻設定(ユニットＡ)」という操作事象１１２を選択したとする（図５の（２）ユニットＡを選択した場合）。
【００５４】
操作ユニット判定部１０７は操作事象１１２に従って、操作対象となるユニットをユニットＡ１２０であると判別する。その結果、対象ユニット選択データ１１３は「ユニットＡあり・ユニットＢなし」というパターンとなり、この対象ユニット選択データ１１３を所定の記憶領域に記憶する。したがって、操作画面機構部１０２はユニットＡ１２０に対し表示データ１１６の要求を送信する。
【００５５】
ユニットＡ１２０側の表示データ作成部１０４では、ユニットＡ１２０の現在時刻に関する表示データ１１６を作成し、作成した表示データ１１６を操作画面部１１９側の作業フレーム１１９ｂへ送信する。このため、作業フレーム１１９ｂが表示データ１１６を受信し、操作画面部１１９は表示データ１１８として表示する。操作画面部１１９上の表示データ１１８を確認した操作者１０３が、現在時刻の入力操作を行うと、ユニットＡ用操作データ作成部１０５が操作に応じた操作データ１１４を作成し、これをユニットＡ１２０に送信する。
【００５６】
また、操作者１０３がユニットＢ１２１の現在時刻の設定を目的とした場合も同様である（図５の（３）ユニットＢを選択した場合）。すなわち、画面選択フレーム１１９ａにおいて「現在時刻設定(ユニットＢ)」という操作事象１１２を選択した場合、操作ユニット判定部１０７が操作対象ユニットをユニットＢ１２１と判別し、「ユニットＡなし・ユニットＢあり」という対象ユニット選択データ１１３を記憶する。そして、操作画面機構部１０２はユニットＢ１２１に対し表示データ１１７の要求を送信する。
【００５７】
ユニットＢ１２１側の表示データ作成部１０８ではユニットＢ１２１の現在時刻に関する表示データ１１７を作成し、この表示データ１１７を操作画面部１１９側の作業フレーム１１９ｂへ送信すると、作業フレーム１１９ｂでは表示データ１１７を受信し、操作画面部１１９は表示データ１１８として表示する。操作画面部１１９上の表示データ１１８を確認した操作者１０３は、現在時刻の入力操作を行うと、ユニットＢ用操作データ作成部１０６が入力操作に応じた操作データ１１５を作成し、これをユニットＢ１２１に送信する。
【００５８】
さらに、操作者１０３が全ユニットの現在時刻の設定を目的として、画面選択フレームにおいて「現在時刻設定(全ユニット)」という操作事象１１２を選択した場合について説明する（図５の（４）全ユニットを選択した場合）。すなわち、操作ユニット判定部１０７がこれに従って、操作対象はユニットＡ１２０、Ｂ１２１の両方であると判別し、「ユニットＡあり・ユニットＢあり」であるというパターンを記憶する。
【００５９】
このとき、操作画面機構部１０２はユニットＡ１２０に対し表示データ１１６の要求を送信する。ただし、ユニットＢ１２１への表示データ１１７の要求については、対象ユニット選択データ１１３が「ユニットＡあり」になっている場合には抑制される。
【００６０】
ユニットＡ１２０側の表示データ作成部１０４では表示データ１１６を作成し、この表示データ１１６を操作画面部１１９側の作業フレーム１１９ｂへ送信する。これにより、作業フレーム１１９ｂでは表示データ１１６を受信し、操作画面部１１９が表示データ１１８を表示する。
【００６１】
操作画面部１１９による表示データ１１８の表示に対し操作者１０３が適切な操作を行うと、操作データ作成部１０５、１０６がそれぞれ操作データ１１４、１１５を作成し、ユニットＡ１２０、Ｂ１２１にこれらの操作データ１１４、１１５を送信する。以上のような操作過程により、操作者１０３が意図する画面表示の目的を、単一の操作画面部１１９にて達成することができる。
【００６２】
（３）第３の実施形態
［構成］
続いて、本発明に係る第３の実施形態について図６を用いて説明する。第３の実施形態は表示データ合成部１１０におけるデータ合成処理のキーとなる要素を限定した点に特徴がある。図６は第３の実施形態におけるデータ内容の説明図である。なお、第３の実施形態において、前記第１および第２の実施形態と同一の構成については同一の符号を付し、重複する説明は省略する。
【００６３】
ユニットＡ１２０およびユニットＢ１２１の表示データ１１６、１１７は、複数のレコードからなる。図６に示した例では表示データ１１６、１１７は３つのレコードを有している。それぞれのレコードは比較可能要素４０１と、表示内容４０２からなる共通の構造を持っている。
【００６４】
比較可能要素４０１とは、要素同士の大小又は前後関係を判定できる要素であって、ここでは時間的な前後関係が判定可能である日時（秒単位まで含む）とする。一方、表示内容４０２は具体的な動作要素の名称が文字列によって示されている。
【００６５】
表示データ合成部１１０は、ユニットＡ１２０およびユニットＢ１２１から表示データ１１６および表示データ１１７を受信し、以降に説明するデータ合成処理を行うことで、合成データ１１１を作成するようになっている。まず、操作画面部１１９に、ある画面が表示されている状態で、表示データ合成部１１０がユニットＡ１２０とユニットＢ１２１からそれぞれ表示データ１１６、１１７を受信する。
【００６６】
このとき、表示データ１１６、１１７は、日時である比較可能要素４０１と、その日時に発生した表示内容４０２を含んでいる。そこで、表示データ合成部１１０は、ユニットＡ１２０、Ｂ１２１の一番新しい日時同士、つまり表示データ１１６、１１７に含まれる最新の比較可能要素４０１同士を比較する。
【００６７】
比較した日時が同じであるか、あるいは日時の相違が２秒以内であれば、表示データ合成部１１０は２つの比較可能要素４０１を同一であると見なす。このため、表示データ合成部１１０は両者をマージ(合併)して合成内容に追加し、合成データ１１１を作成する。
【００６８】
例えば図６では、表示データ１１６、１１７において、「１２時３４分５６秒」と「１２時３４分２６秒」という比較可能要素４０１が同一である。そこで、表示データ合成部１１０では表示データ１１６、１１７の表示内容をマージ(合併)し、「１２時３４分５６秒」に対応する表示内容として、ユニットＡ１２０の表示内容４０３とユニットＢ１２０１の表示内容４０４を追加する（表示内容４０３、４０４は共に８７Ｃ）。
【００６９】
また、「１２時３４分２６秒」という比較可能要素４０１に対応する表示内容としては、表示データ合成部１１０は、図６中の表示内容の上段側にユニットＡ１２０の表示内容４０３として８７Ａ、８７Ｂ、８７Ｃを追加し、下段側にユニットＢ１２１の表示内容４０４として８７Ａ、８７Ｃを追加する。
【００７０】
さらに、表示データ１１６、１１７の日時を示す比較可能要素４０１が、２秒よりも大きく相違している場合には、表示データ合成部１１０は、より新しい側の表示データ１１６、１１７を合成内容に追加する。なお、合成内容に追加した表示データ１１６、１１７は元の受信内容からは削除する。
【００７１】
以上のような処理を繰り返すことによって、表示データ合成部１１０は合成内容を追加して合成データ１１１を作成する。これにより、操作画面部１１９は合成データ１１１に基づいて表示データ１１８を表示する。
【００７２】
［第３の実施形態の操作例］
第３の実施形態の操作例について、図７を参照して説明する。図７では、ユニット選択データ１１３が「ユニットＡあり・ユニットＢあり」である場合に、表示データ合成部１１０により表示データ１１６、１１７を合成する形態の一例について示している。
【００７３】
表示データ合成部１１０は、ユニットＡ１２０の各レコードと、ユニットＢ１２１の各レコードに関して、以下のような処理を行うことで、比較可能要素４０１と、ユニットＡ１２０の表示内容４０３と、ユニットＢ１２１の表示内容４０４からなるレコードに合成していく。
【００７４】
（ａ）合成処理有り
ユニットＡ１２０、Ｂ１２１のレコードの比較可能要素４０１について、両者が等しいか又は等価とみなせるもの（図７では、２００８年１０月２２日１１時５２分１２秒）があったとする。
【００７５】
この場合、表示データ合成部１１０は、合成内容中の比較可能要素４０１については、ユニットＡ１２０のレコードの比較可能要素４０１からコピーする。また、合成内容中のユニットＡ１２０の表示内容４０３はユニットＡ１２０のレコードの表示内容４０２からコピーする（図７では、Ｂ８７Ｓ−１）。さらに、合成内容中のユニットＢ１２１の表示内容４０４はユニットＢ１２１のレコードの表示内容４０２からコピーする（図７では、８７ＳＡ−１）。
【００７６】
（ｂ）合成処理無し
ユニットＡ１２０、Ｂ１２１のレコードの比較可能要素４０１について、両者が等しいか又は等価とみなせるものが無く、片方のユニットの比較可能要素４０１しか存在しなかったとする。
【００７７】
例えばユニットＡ１２０のレコードの比較可能要素４０１しか存在しない場合には（図７では、２００８年０３月３１日１８時５０分４６秒）、表示データ合成部１１０は、合成内容中の比較可能要素４０１についてはユニットＡ１２０のレコードの比較可能要素４０１からコピーする。また、合成内容中のユニットＡ１２０の表示内容４０３についてはユニットＡ１２０のレコードの表示内容４０２からコピーし（図７では、Ｂ８７Ｓ−２）、合成内容中のユニットＢの表示内容４０４は空とする。
【００７８】
一方、ユニットＢ１２１のレコードの比較可能要素４０１しか存在しない場合には、表示データ合成部１１０は、合成内容中の比較可能要素４０１についてはユニットＢ１２１のレコードの比較可能要素４０１からコピーし、合成内容中のユニットＢ１２１の表示内容４０４についてはユニットＢ１２１のレコードの表示内容４０２からコピーし、合成内容中のユニットＡの表示内容４０３は空とする。
【００７９】
以上の合成処理を行う第３の実施形態では、表示データ１１６、１１７にあける日時が等しいか、あるいは日時の差が２秒以内といったように、比較可能要素４０１が等価であれば、表示データ１１６、１１７のレコードを合成した上で、操作画面部１１９に表示データ１１８の表示を行う。
【００８０】
［作用効果］
上記第３の実施形態によれば、操作画面部１１９において、合成されたレコードからなる表示データ１１８の表示を行うことで、操作者１０３は複数のユニットＡ１２０、Ｂ１２１からの表示データ１１６、１１７を、適切な１つの操作画面部１１９を用いて確認することができる。
【００８１】
しかも、第３の実施形態では、表示データ１１６、１１７の合成に際して、大小又は前後関係を判定できる比較可能要素４０１をキー要素としているため、２つの表示データ１１６、１１７が等価状態にあるかどうかを的確に判断することができ、優れた信頼性を発揮することができる。
【００８２】
（４）第４の実施形態
［構成］
さらに、本発明に係る第４の実施形態について図８を参照して説明する。図８は、第４の実施形態の全体構成図を示している。なお、上記第１および第２の実施形態と同一の構成は同一の符号を付し、重複する説明は省略する。
【００８３】
図８に示すように、第４の実施形態の特徴は、表示データ合成部５０１が操作画面機構部１０２ではなく、ユニットＡ１２０内に設けられており、さらに操作者１０３の行った操作事象１１２を、操作画面機構部１０２からユニットＡ１２０を中継してユニットＢ１２１に送るように構成された点にある。
【００８４】
ユニットＡ１２０内の表示データ作成部１０４では、操作画面機構部１０２から受信した操作事象１１２に従って表示データ５０２が作成される。同様にユニットＢ１２１内の表示データ作成部１０８では、操作画面機構部１０２からユニットＡ１２０を経由して受信した操作事象１１２に従って、表示データ５０３が作成される。表示データ５０２、５０３はユニットＡ１２０内の表示データ合成部５０１に送信される。
【００８５】
ユニットＡ１２０側に設けた表示データ合成部５０１は、ユニットＡ１２０の表示データ５０２とユニットＢ１２１から受信した表示データ５０３から以降に説明する処理によって合成データ１１１を作成し、操作画面機構部１０２の操作画面部１１９に送信するように構成されている。そして、操作画面部１１９では合成データ１１１に基づいて操作者１０３に対し表示１１８が行われる。
【００８６】
［第４の実施形態の操作例］
図９にて、第４の実施形態の操作例を示す。図９において、ユニットＡ１２０には一括側ＨＣＵ(Human Interface Control Unit)、ユニットＢ１２１には分割側ＨＣＵが設けられ、ユニットＡ１２０側の一括側ＨＣＵ内に表示データ合成部５０１が設置されている。
【００８７】
一括側ＨＣＵおよび分割側ＨＣＵには、不揮発性の記憶装置である電源バックアップＲＡＭが設けられている。このＲＡＭは、表示データ作成部１０４、１０８を構成する部分であり、表示すべき動作内容データ、つまり表示データ５０２、５０３を格納している。
【００８８】
操作者１０３の行う操作事象に従って、一括側ＨＣＵでは電源バックアップＲＡＭから表示データ５０２を読み出し、表示データ合成部５０１に送る。また、分割側ＨＣＵでも同様に電源バックアップＲＡＭから表示データ５０３の読み出しを行い、読み出した表示データ５０３を一括側ＨＣＵ内の表示データ合成部５０１に送信する。
【００８９】
表示データ合成部５０１では、一括側ＨＣＵのＲＡＭから読み出した表示データ５０２と、分割側ＨＣＵから受け取った表示データ５０３を新しい順にマージして合成データ１１１を作成し、これを操作画面部１１９に送信する。なお、分割側ＨＣＵから一括側ＨＣＵへ表示データ５０３を送信する際のデータ通信方式として例えばＲＳ−２３２Ｃなどが採用されている。
【００９０】
［作用効果］
以上のような第４の実施形態によれば、上述した第１〜第３の実施形態の持つ作用効果を発揮できると同時に、次のような独自の作用効果を有している。すなわち、第４の実施形態では、表示データ合成部５０１を操作画面機構部１０２側ではなく、ユニットＡ１２０内に設けたことで、操作画面機構部１０２の処理負担を少なくすることができる。したがって、多種多量の情報を扱う遠隔運用拠点に操作画面機構部１０２を設置する場合に好適であり、保護制御装置の信頼性向上に寄与することができる。
【００９１】
（５）他の実施形態
なお、本発明は、以上の実施形態に限定されるものではなく、装置を構成するユニット数や表示データでの数値は適宜変更可能である。また、ユニットにおける表示データのレコードにおいて、データを合成する際の要素としては、日時に限らず、適切な比較ロジックを用いて要素同士の大小あるいは前後関係を判定できる要素であれば、適宜選択自由である。
【００９２】
さらに、上記第４の実施形態の変形例として、表示データ合成部５０１をユニットＡ１２０側ではなく、ユニットＢ１２１側に設けて、ユニットＡ１２０からの表示データ５０３をユニットＢ１２１側の表示データ合成部５０１に送るように構成してもよい。
【符号の説明】
【００９３】
１０２…操作画面機構部
１０３…操作者
１０４、１０８…表示データ作成部
１０５…ユニットＡ用操作データ作成部
１０６…ユニットＢ用操作データ作成部
１０７…操作ユニット判定部
１１０、５０１…表示データ合成部
１１１…合成データ
１１２…操作事象
１１３…対象ユニット選択データ
１１４、１１５…操作データ
１１６、１１７、１１８、５０２、５０３…表示データ
１１９…操作画面部
１２０…ユニットＡ
１２１…ユニットＢ
４０１…比較可能要素
４０２…表示内容
４０３…ユニットＡの表示内容
４０４…ユニットＢの表示内容
【図１】
2011172362.tif 000003
【図２】
2011172362.tif 000004
【図３】
2011172362.tif 000005
【図４】
2011172362.tif 000006
【図５】
2011172362.tif 000007
【図６】
2011172362.tif 000008
【図７】
2011172362.tif 000009
【図８】
2011172362.tif 000010
【図９】
2011172362.tif 000011
【図１０】
2011172362.tif 000012
【図１１】
2011172362.tif 000013